(57)【要約】【課題】  記録材の熱によって読取部が昇温し、読取部の読取精度が低下したり破損したりしてしまうこと抑制する。【解決手段】  読取面に対向した原稿の画像を読み取る読取部と、シートを搬送する搬送路の少なくとも一部を形成し、前記読取部に対向する対向面と、記録材にトナー像を転写する転写部と、前記トナー像を転写された記録材を加熱して、前記記録材にトナー像を定着させる定着部と、を有し、前記ガイド面と前記定着部を通過した記録材が前記搬送路を搬送される画像形成装置において、前記読取部は、前記読取面と前記対向面との間にあるシートを読み取る読取位置と、前記読取位置よりも前記読取面が前記対向面から退避した退避位置との間を移動可能で、前記定着部を通過した記録材が前記搬送路を搬送される際、前記読取部は前記退避位置にあることを特徴とする。【選択図】  図１２
2014219433.tif 000002
【特許請求の範囲】
【請求項１】
読取面に対向した原稿の画像を読み取る読取部と、シートを搬送する搬送路の少なくとも一部を形成し、前記読取部に対向する対向面と、記録材にトナー像を転写する転写部と、前記トナー像を転写された記録材を加熱して、前記記録材にトナー像を定着させる定着部と、を有し、前記ガイド面と前記定着部を通過した記録材が前記搬送路を搬送される画像形成装置において、
前記読取部は、前記読取面と前記対向面との間にあるシートを読み取る読取位置と、前記読取位置よりも前記読取面が前記対向面から退避した退避位置との間を移動可能で、前記定着部を通過した記録材が前記搬送路を搬送される際、前記読取部は前記退避位置にあることを特徴とする画像形成装置。
【請求項２】
前記読取部は、前記読取部が前記退避位置にある時に前記対向面と対向して前記シートの搬送をガイドするガイド面を備え、前記読取部が前記読取位置にある時の前記読取面と前記対向面との間の距離よりも、前記読取部が前記退避位置にある時の前記ガイド面と前記対向面との間の距離の方が長いことを特徴とする画像形成装置。
【請求項３】
前記読取部が前記読取位置にある時、前記読取部は前記読取面に当接するシートを読み取ることを特徴とする請求項１又は２に記載の画像形成装置。
【請求項４】
前記読取部は回転することにより前記読取位置から前記退避位置へ移動することを特徴とする画像形成装置。
【請求項５】
前記退避位置は、前記読取位置から前記読取部が９０度以上回転した位置であることを特徴とする請求項４に記載の画像形成装置。
【請求項６】
シートを搬送する別の搬送路の少なくとも一部を形成する別の対向面を有し、前記読取部が前記退避位置にある時、前記読取面と前記別の対向面との間にあるシートを読み取ることを特徴とする請求項１乃至５のいずれか一項に記載の画像形成装置。
【請求項７】
前記読取部が前記読取位置にある時、前記読取部は前記搬送路を搬送されるシートの第１面を読み取り、前記読取部が前記退避位置にある時、前記読取部は前記搬送路を搬送された後に前記別の搬送路を搬送されるシートの第２面を読み取ることを特徴とする請求項１乃至６のいずれか一項に記載の画像形成装置。
【発明の詳細な説明】
【技術分野】
【０００１】
本発明は、複写機やレーザービームプリンタ（以下、ＬＢＰ）等の電子写真方式の画像形成装置であって、原稿の画像を読み取る読取部を有する画像形成装置に関するものである。
【背景技術】
【０００２】
記録材への画像形成と原稿の読み取りの両方を実現するものとして、原稿の画像を読み取る読取部を備え、原稿を搬送しながら読み取り可能とした画像形成装置がある。特許文献１には、記録材の両面に画像形成するための両面搬送路の一部を、読取部で読み取る原稿を搬送する搬送路として兼用する構成が開示されている。
【先行技術文献】
【特許文献】
【０００３】
【特許文献１】特開２００６−２３２４６７
【発明の概要】
【発明が解決しようとする課題】
【０００４】
しかしながら、記録材の両面に画像形成するための両面搬送路の一部を、読取部で読み取る原稿を搬送する搬送路として兼用する構成では、定着器を通過することで熱せられた記録材が読取部の位置を通過する場合がある。このように熱せられた記録材が兼用の搬送路を搬送され、読取部の位置を通過すると、記録材の熱によって読取部内の光源や結像素子やセンサ（撮像素子）が昇温し、読取部の読取精度が低下したり破損したりしてしまう恐れがある。
【０００５】
そこで本発明は、記録材の熱によって読取部が昇温し、読取部の読取精度が低下したり破損したりしてしまうこと抑制することを目的とする。
【課題を解決するための手段】
【０００６】
本発明によれば、読取面に対向した原稿の画像を読み取る読取部と、シートを搬送する搬送路の少なくとも一部を形成し、前記読取部に対向する対向面と、記録材にトナー像を転写する転写部と、前記トナー像を転写された記録材を加熱して、前記記録材にトナー像を定着させる定着部と、を有し、前記ガイド面と前記定着部を通過した記録材が前記搬送路を搬送される画像形成装置において、
前記読取部は、前記読取面と前記対向面との間にあるシートを読み取る読取位置と、前記読取位置よりも前記読取面が前記対向面から退避した退避位置との間を移動可能で、前記定着部を通過した記録材が前記搬送路を搬送される際、前記読取部は前記退避位置にあることを特徴とする。
【発明の効果】
【０００７】
本発明によれば、記録材の熱によって読取部が昇温し、読取部の読取精度が低下したり破損したりしてしまうこと抑制することができる。
【図面の簡単な説明】
【０００８】
【図１】画像形成装置の概略断面図
【図２】（ａ）画像形成プロセスを説明する画像形成装置の概略断面図、（ｂ）画像形成プロセスを説明する画像形成装置の概略断面図
【図３】（ａ）画像形成プロセスを説明する画像形成装置の概略断面図、（ｂ）画像形成プロセスを説明する画像形成装置の概略断面図
【図４】（ａ）原稿読取プロセスを説明する画像形成装置の概略断面図、（ｂ）原稿読取プロセスを説明する画像形成装置の概略断面図
【図５】（ａ）原稿読取プロセスを説明する画像形成装置の概略断面図、（ｂ）原稿読取プロセスを説明する画像形成装置の概略断面図
【図６】（ａ）両面コピー動作を説明する画像形成装置の概略断面図、（ｂ）両面コピー動作を説明する画像形成装置の概略断面図
【図７】（ａ）両面コピー動作を説明する画像形成装置の概略断面図、（ｂ）両面コピー動作を説明する画像形成装置の概略断面図
【図８】（ａ）両面コピー動作を説明する画像形成装置の概略断面図、（ｂ）両面コピー動作を説明する画像形成装置の概略断面図
【図９】（ａ）両面コピー動作を説明する画像形成装置の概略断面図、（ｂ）両面コピー動作を説明する画像形成装置の概略断面図
【図１０】（ａ）両面コピー動作を説明する画像形成装置の概略断面図、（ｂ）両面コピー動作を説明する画像形成装置の概略断面図
【図１１】両面コピー動作を説明する画像形成装置の概略断面図
【図１２】（ａ）読取部付近の画像形成装置の概略断面図、（ｂ）読取部付近の画像形成装置の概略断面図
【発明を実施するための形態】
【０００９】
（実施例１）
本実施例は原稿を読み取る読取装置を有し、記録材に画像を形成する画像形成装置１である。画像形成装置１は電子写真方式のレーザービームプリンタであり、読取装置としてのオートドキュメントフィーダを備えたイメージスキャナを備える。
【００１０】
図１〜図３を用いて画像形成装置１について説明する。図１は、画像形成装置１（以下、装置１）の概略断面図である。装置１は画像形成部を有し、画像形成部によって周知の電子写真画像形成プロセスを実行し記録材Ｓにトナー像を形成する。画像形成部は、像担持体としての回転可能な感光ドラム１０と、感光ドラム１０の周囲に配置された不図示の帯電手段、露光手段としての光学ユニット２、現像手段としての現像ローラ１１、転写手段としての転写ローラ１５、加熱ローラ５１と加圧ローラ５２を備える定着手段５０を含む。
【００１１】
［画像形成プロセス］
画像形成部による画像形成プロセスについて説明する。印刷信号を受けると、光学ユニット２が具備する発光部２１が、不図示の帯電手段によって帯電させた感光ドラム１０の表面に画像形成を行う画像の情報に基づくレーザー光を照射する。これにより、回転している感光ドラム１０の表面に電荷による潜像を形成する。そして、トナーを保持しながら回転する現像ローラ１１が感光ドラム１０表面の潜像にトナーを供給すると、感光ドラム１０の表面にトナー画像が形成される。
【００１２】
一方、図２（ａ）に示すように、第１給紙部３０に収納された記録材Ｓは、ピックアップローラ３１と分離手段３２により、一枚ずつ搬送ローラ４０に搬送される。搬送ローラ４０は、感光ドラム１０の表面のトナー画像と記録材Ｓの先端位置のタイミングを合わせるように、記録材Ｓを感光ドラム１０と転写ローラ１５の間に形成された転写ニップ（転写部）へ搬送する。感光ドラム１０の回転により転写ニップに搬送されるトナー画像は、転写ローラ１５に印加される転写バイアスと感光ドラム１０と転写ローラ１５間の圧力によって記録材Ｓの第１面上に転写される。その後、トナー像が転写された記録材Ｓは、定着手段５０の加熱ローラ５１と加圧ローラ５２との間に形成された定着ニップ（定着部）へ搬送される。記録材Ｓ上のトナー像は、加熱ローラ５１からの熱と、加熱ローラ５１と加圧ローラ５２との間の圧力によって、記録材Ｓの第１面に定着される。定着手段５１を通過した記録材Ｓは、排紙ローラ６０によって搬送される。
【００１３】
片面印刷の場合、排紙ローラ６０は記録材Ｓをそのまま機外へ搬送し、記録材Ｓは第１排紙部７０に排出され、片面印刷の画像形成プロセスが終了する。
【００１４】
両面印刷の場合、第１面にトナー像を定着させた後の記録材Ｓが排紙ローラ６０に搬送され、後端がフラッパ６１を通過すると、不図示のアクチュエータによってフラッパ６１の位置が切り替えられ、不図示の切替手段によって排紙ローラ６０を逆回転させる。すなわち、図２（ｂ）のように排紙ローラ６０によって逆方向にスイッチバックした記録材Ｓは、フラッパ６１によって両面搬送路８０へと案内される。その後、図３（ａ）に示すように、記録材Ｓは第１両面搬送ローラ４１、第２両面搬送ローラ４２によって、記録材Ｓ及び原稿Ｇの搬送路として兼用される共通搬送路９４を搬送され、Ｕターン部８０ａに送られる。Ｕターン部８０ａを通過した記録材Ｓは、図３（ｂ）に示すように搬送ローラ４０を介して、再び転写ニップ、定着ニップへ搬送され、その第２面へトナー画像を転写、定着され、排紙ローラ６０によって第１排紙部７０に積載される。
【００１５】
［原稿読取プロセス］
次に、図４〜５を用いて原稿の読み取りプロセスについて説明する。図４（ａ）のように、第２給紙部９０に収納された原稿Ｇは、ピックアップローラ９１と分離手段９２により、一枚ずつ給紙されたあと、原稿給紙搬送路９３を通って共通搬送路９４に合流する。その後、第１両面搬送ローラ４１によって共通搬送路９４内に設置された読取部１００に対向する位置に搬送される。原稿Ｇを搬送しながら読取部１００により原稿Ｇの第１面を読み取る。
【００１６】
読取部１００は、内部に、光源、搬送方向に直交する方向（駆動ローラ４１ａの回転軸方向）に並んだ不図示の複数の撮像素子（ラインセンサ）、及び、それに対応する複数の結像素子が設けられた所謂コンタクトイメージセンサである。読取部１００は、原稿Ｐの表面からの反射光を結像素子で撮像素子上に結像し撮像素子で検知することにより、原稿Ｇ上に形成された画像を読み取る。また、読取部１００は、内部の、光源、複数の結像素子、及び、複数の撮像素子を覆う透過部材であるガラス製のカバー１００ａを備える。カバー１００ａの表面に原稿Ｇの被読取面が突き当たった状態で、シートの被読取面が適切な焦点深度に配置されるようになっている。このため、読取部１００のうち、読み取り対象（この場合はシート）に対向し、読取対象で反射して複数の撮像素子へ向かう光が透過する面を読取面と定義する。本実施例では、読取面はシートと当接するカバー１００ａの表面が読取面である。
【００１７】
読取部１００で読み取られた情報は、原稿Ｇの第１面の画像情報として、不図示のメモリーに記録される。読取部１００を通過した原稿Ｇは、図４（ｂ）に示すようにフラッパ８３を通過して原稿反転搬送路８０ｂに搬送される。フラッパ８３は、原稿Ｇの後端がフラッパ８３の先端を通過すると不図示のアクチュエータによって共通搬送路９４へ原稿Ｇが搬送されないように共通搬送路９４を塞ぐ位置に移動する（図５（ａ）に示す位置）。
【００１８】
図５（ａ）は、第１面の読み取り終了後、原稿の搬送方向を切り替えて原稿Ｇの第２面の読み取りプロセスに入る直前の状態を示している。この状態において第２両面搬送ローラ４２を不図示の切替手段によって逆回転させて原稿Ｇをスイッチバック（原稿Ｇの後端が先端となるよう逆方向に搬送）し、原稿排紙搬送路８１に向けて搬送する。
【００１９】
図５（ｂ）は、第２両面搬送ローラ４２を逆回転させて原稿Ｇをスイッチバックした後の原稿Ｇの第２面を読み取っている状態を示す図である。読取部１００は、不図示の回転軸を中心に回転することにより、撮像素子及びカバー１００ａの位置を変更可能である。具体的には、読取部１００は図４（ａ）、（ｂ）に示すように共通搬送路９４にある原稿Ｇを読み取る位置（第１の位置）と、図５（ａ）、（ｂ）に示すように原稿排紙搬送路８１にある原稿Ｇを読み取る位置（第２の位置）との間を回転して移動可能である。
【００２０】
原稿読取プロセスの説明に戻ると、第１の位置で原稿Ｇの第１面の画像情報を取得した読取部１００は位置を不図示の回転軸を中心に１８０度回転し、第２の位置へ移動する。第２の位置では、カバー１００ａが原稿排紙搬送路８１を搬送される原稿Ｇに対向する位置にある。移動した読取部１００は原稿Ｇが原稿排紙搬送路８１を通過するに伴い、原稿Ｇの第２面を読み取り、その画像情報を取得する。取得情報は、不図示メモリーに記録される。
【００２１】
原稿Ｇは、原稿排紙搬送路８１での原稿搬送方向に関して読取部１００の下流側で、且つ、共通搬送路９４での原稿搬送方向に関して読取部１００の上流側には、第１両面搬送ローラ４１が設けられている。第１両面搬送ローラ４１は駆動ローラ４１ａの両側からコロ４１ｂおよびコロ４１ｃを所定の圧でニップした３連ローラ構成となっている。駆動ローラ４１ａは共通搬送路９４を通過する記録材または原稿を図の下方向に、原稿排紙搬送路８１を通過する原稿を図の上方向に、それぞれ搬送することが可能である。
【００２２】
原稿排紙搬送路８１を搬送される原稿Ｇは、第２の位置の読取部１００に読み取られた後、第１両面搬送ローラ４１の駆動ローラ４１ａとコロ４１ｃによって搬送され、その下流に配置された原稿排紙ローラ４３により、第２排紙部１１０に積載される。
【００２３】
原稿Ｇの第２面の読み取りを終了した後、読取部１００は次の原稿の読み取りに備えて再度カバー１００ａ側が共通搬送路９４に対向する位置に移動する。なお、ユーザーが任意で片面読み取りを選択している場合、読取部１００を移動させないように制御する事も可能である。
【００２４】
また、原稿Ｇの第１面、第２面の画像情報を読み取った後、原稿Ｇの第１面、第２面の画像情報に基づいて、発光部２１が感光ドラム１０にレーザーを照射するような記録材Ｓへの画像形成プロセスを実行可能である。また、原稿Ｇの第１面、第２面の画像情報を読み取った後、読み取った原稿Ｇの第１面、第２面の画像情報を電子データとしてコンピュータに送信することも可能である。
【００２５】
［両面コピー動作］
次に原稿読取プロセスと画像形成プロセスとを同期間に実行する両面コピー動作について図６〜１１を用いて説明する。両面コピー動作とは、原稿Ｇの第１面、第２面の画像情報を、それぞれ記録材Ｓの第１面、第２面にコピーする動作である。
【００２６】
両面コピー動作は、読取部１００で原稿Ｇを読み取ることから開始する。図６（ａ）に示すように、第２給紙部９０に収納された原稿Ｇをピックアップローラ９１と分離手段９４により一枚ずつ給送する。給送された原稿Ｇは、合流部６２を通過して共通搬送路９４内へ搬送され、第１両面搬送ローラ４１によって第１の位置にある読取部１００と対向する位置へ搬送される。原稿Ｇは、搬送されながら読取部１００によってその第１面を読み取られ、フラッパ８３によって共通搬送路９４から分岐部６３通過して原稿反転搬送路８０ｂへ搬送され、第１面の読み取りを終了する。読取部１００で読み取った原稿Ｇの第１面の画像情報は不図示メモリーに記録される
図６（ｂ）に示すように、原稿反転搬送路８０ｂを搬送される原稿Ｇの後端が分岐部６３を通過すると、フラッパ８３は不図示のアクチュエータによって共通搬送路９４へ原稿Ｇが搬送されないように共通搬送路９４を塞ぐ位置に移動する。このとき、読取部１００は１８０度回転して原稿Ｇの第２面を読み取る状態となる。
【００２７】
その後、図７（ａ）に示すように、第２両面搬送ローラ４２を逆回転させて、原稿Ｇをスイッチバックさせて原稿排紙搬送路８１へ搬送し、第２の位置にある読取部１００で原稿Ｇの第２面の読み取りを開始する。原稿Ｇを搬送しながら読取部１００で読み取った原稿Ｇの第２面の画像情報は不図示メモリーに記録される。
【００２８】
そして、図７（ｂ）に示すように、不図示のメモリーに記録された原稿Ｇの第１面の画像情報に基づくトナー像を記録材Ｓの第１面に形成する為の画像形成プロセスを行う。図７（ｂ）では、原稿Ｇの第２面の読み取り動作と記録材Ｓへの画像形成プロセスを同時に行っている。原稿Ｇの第２面の読み取り動作は、原稿排紙搬送路８１の原稿搬送方向に関して、読取部１００の下流も配置された第１両面搬送ローラ４１と原稿排紙ローラ４３によって原稿Ｇが搬送される。一方、画像形成プロセスでは、第１給紙部３０に収納された記録材Ｓが、ピックアップローラ３１と分離手段３２により一枚ずつ分離されたあと、搬送ローラ４０を経て、感光ドラム１０上に形成されたトナー像を転写部で記録材Ｓに転写し定着部で定着させる。
【００２９】
図８（ａ）に示すように、第２面を読み取られた原稿Ｇは第２排紙部１１０に排出される。一方、記録材Ｓは、排紙ローラ６０が逆回転することにより両面搬送路８０へと搬送され、合流部６２を通って、第１両面搬送ローラ４１、第２両面搬送ローラ４２によって共通搬送路９４をＵターン部８０ａへ搬送される。なお、分岐部６３に設けられたフラッパ８３は記録材ＳをＵターン部８０ａに送るために原稿反転搬送路８０ｂを閉じた状態となっている。この間、読取部１００は原稿Ｇの第２面を読み取り可能な第２の位置に保持されている。
【００３０】
図８（ｂ）に示すように、記録材ＳがＵターン部８０ａに搬送されて記録材Ｓの後端が共通搬送路９４の分岐部６３を通過した後、読取部１００は、共通搬送路９４側に回転する。これは、記録材Ｓの後に続いて第２給紙部９０から給送される２枚目の原稿Ｇの第１面の読み取りに備える為である。そして、２枚目の原稿Ｇが第２給紙部９０から分離・給紙される。先行する記録材Ｓの後端が共通搬送路９４の分岐部６３、及び、第２両面搬送ローラ４２のニップを通過した後、図９（ａ）に示すようにフラッパ８３の位置を切り替え、第２両面搬送ローラ４２を逆回転させる。
【００３１】
その後、図９（ｂ）に示すように、第２給紙部９０から給送された２枚目の原稿Ｇは合流部６２を通過して共通搬送路９４を搬送され、その第１面が読み取られる。そして、２枚目の原稿Ｇはフラッパ８３を有する分岐部６３通過して原稿反転搬送路８０ｂに搬送され、第１面の読み取り終了する。このときの２枚目の原稿Ｇの状態は１枚目の原稿Ｇの図６（ａ）に示した状態と同じである。一方で、記録材Ｓは、Ｕターン部８０ａを経て搬送ローラ４０により再び転写ニップ、定着ニップへ搬送され、その第２面へ１枚目の原稿Ｇの第１面の画像情報に基づくトナー画像を転写、定着される。そして、図１０（ａ）に示すように排紙ローラ６０によって第１排紙部７０に向かって搬送される。
【００３２】
図１０（ｂ）に示すように、その後、２枚目の原稿Ｇに対応する２枚目の記録材Ｓの給紙、画像形成プロセスが開始される。同時に、フラッパ８３の位置が切り替わり、第２両面搬送ローラ４２が逆回転し、後続する２枚目の原稿Ｇが原稿反転搬送路８０ｂから原稿排紙搬送路８１へ搬送され、その第２面の読み取りが開始される（図６（ｂ）に示す１枚目の原稿Ｇの状態と同じ）。
【００３３】
その後、図１１に示すように、１枚面の原稿Ｇの第１面、第２面に対応する画像が、それぞれ第１面、第２面に形成された先行する記録材Ｓは、排紙ローラ６０によって排紙部７０に排紙される。２枚目の記録材Ｓは、転写ニップで感光ドラム１０上に形成された２枚目の原稿Ｇの第１面の画像情報に基づくトナー像が転写され、定着ニップへと送られる。この時、２枚目の原稿Ｇの第２面の読み取り動作を同時進行で行う。このときの、２枚目の原稿Ｇと２枚目の記録材Ｓの状態は図７（ｂ）と同じである。
【００３４】
以後、連続でコピー動作を継続するときは図８（ａ）〜図１１を所定の枚数分繰り返して両面コピー動作は終了となる。
【００３５】
上述した、両面コピー動作は、原稿Ｇの第１面、第２面の画像情報を、それぞれ記録材Ｓの第１面、第２面にコピーする動作であった。しかしながら、上記と同様の動作により、原稿読取プロセスと画像形成プロセスとを同期間に実行しつつ、原稿Ｇから読み取った画像と関係の無い画像を記録材Ｓに形成してもよい。
【００３６】
［読取部１００の退避］
次に、読取部１００の共通搬送路９４からの退避について詳しく説明する。図１２は、画像形成装置１の読取部１００付近の拡大図である。図１２（ａ）は読取部１００が共通搬送路９４にある原稿を読み取る第１の位置にある状態、図１２（ｂ）は読取部１００が原稿排紙搬送路８１にある原稿Ｇを読み取る第２の位置（共通搬送路９４側の原稿を読み取らない位置）にある状態を示す。
【００３７】
読取部１００が図１２（ａ）に示す第１の位置にある時、共通搬送路９４を搬送されるシート（記録材Ｓや原稿Ｇ）は、読取部１００のカバー１００ａと、共通搬送路９４の対向ガイド９５との間を通過する。原稿排紙搬送路８１を搬送されるシート（原稿Ｇ）は、読取部１００の背面１０１（読取部１００の回転軸を挟んでカバー１００ａの反対側）と原稿排紙搬送路８１の対向ガイド９６との間を通過する。ここで、読取部１００のカバー１００ａの表面と対向ガイド９５の表面（対向面）との距離を距離Ｔ１、読取部１００の背面１０１と対向ガイド９６の表面（別の対向面）との距離を距離Ｔ２´とする。
【００３８】
なお、対向ガイド９５は、共通搬送路９４の少なくとも一部を形成し、読取部１００と対向する位置に配置された部材であり、対向ガイド９６は、原稿排紙搬送路８１の少なくとも一部を形成し、読取部１００と対向する位置に配置された部材である。また、背面１０１は、原稿排紙搬送路８１を搬送されるシートの搬送をガイドするガイド面として機能している。
【００３９】
読取部１００が図１２（ｂ）に示す第２の位置にある時、共通搬送路９４を搬送されるシート（記録材Ｓや原稿Ｇ）は、読取部１００の背面１０１と共通搬送路９４の対向ガイド９５との間を通過する。原稿排紙搬送路８１を搬送されるシート（原稿Ｇ）は、読取部１００のカバー１００ａと原稿排紙搬送路８１の対向ガイド９６との間を通過する。ここで、読取部１００のカバー１００ａの表面と対向ガイド９６の表面（別の対向面）との距離を距離Ｔ２、読取部１００の背面１０１と対向ガイド９５の表面（対向面）との距離を距離Ｔ１´とする。
【００４０】
なお、背面１０１は、共通搬送路９４を搬送されるシートの搬送をガイドするガイド面として機能している。
【００４１】
上述したように、読取部１００のカバー１００ａの表面に原稿Ｇの被読取面が突き当たった状態で、原稿の被読取面が適切な焦点深度となるように設定されている。この為、原稿を読み取る時に原稿がカバー１００ａの表面に当接するよう、距離Ｔ１、Ｔ２は原稿の厚み程度の比較的小さな値に設定されている。
【００４２】
一方で、上述した記録材Ｓの両面に画像を形成する画像形成プロセスや、上記の両面コピー動作等を実行する際は、定着手段５０を通過して熱せられた記録材Ｓが共通搬送路９４を通過する。また、読取部１００の内部において、結像素子や撮像素子はカバー１００ａに近接して配置されている。このため、読取部１００が第１の位置（共通搬送路９４のシートを読み取り可能な読取位置）にあると、カバー１００ａに熱せられた記録材Ｓが当接する。その結果、カバー１００ａを介して伝わった熱により撮像素子や結像素子等が昇温し、場合によっては読取不良が発生したり破損してしまう虞がある。
【００４３】
このため、定着手段５０を通過した記録材Ｓが共通搬送路９４を通過する際は、読取部１００は、共通搬送路９４のシートを読み取り可能な読取位置としての第１の位置から１８０度回転した第２の位置に移動し、共通搬送路から退避するように制御している。このようにカバー１００ａを退避位置としての第２に位置に退避させることにより、カバー１００ａを介して熱が伝達されて、読取部１００内の光源や結像素子、撮像素子が昇温することにより発生する不具合の発生を抑制することができる。
【００４４】
また、読取部１００の背面１０１はガラス製のカバー１００ａよりも熱伝導率の低い素材で形成されている。また、背面１０１と読取部１００内の不図示の撮像手段との間には、不図示の空間部（空気層）が設けられ、背面１０１側から撮像手段へと熱が伝わることを抑制する断熱層として機能している。なお、背面１０１と読取部１００内の不図示の撮像手段との間に断熱部材を設けてもよい。
【００４５】
また、読取部１００が第２の位置にある時の共通搬送路９４の対向ガイド９５と背面１０１との距離Ｔ１´は、読取部１００が第１の位置にある時の共通搬送路９４の対向ガイド９５とカバー１００ａの表面との距離Ｔ１よりも大きい。
【００４６】
つまり、
Ｔ１＜Ｔ１´
という関係になっている。
【００４７】
このように読取部１００と対向ガイド９５との距離を設定することで、読取部１００が第２の位置にある時に定着手段５０を通過した記録材Ｓが共通搬送路９４を通過した場合に、読取部１００の背面１０１を介して読取部１００内の光源や撮像素子、結像素子等に熱が伝わる可能性をより下げることができる。このため、読取部１００をより昇温させにくくすることができる。
【００４８】
また、読取部１００と対向ガイド９５との距離を上述したように設定することには、他のメリットもある。本実施例では、共通搬送路９４を通過する記録材Ｓや、第２面のみ読み取りを行う原稿Ｇが共通搬送路９４を通過する際などの第１の位置の読取部１００で読み取りを行わない時に、読取部１００が第２の位置にあるように読取部１００の位置を制御している。これにより、第１の位置の読取部１００で読み取りを行わない時に、共通搬送路９４を通過する記録材Ｓ又は原稿Ｇが読取部１００に当接して引っ掛かり、ジャムが発生することを抑えることができる。特に、定着手段５０を通過した記録材Ｓは柔らかく（こしが弱く）、座屈しやすいので、読取部１００と当接することによるジャムが発生しやすくなっている為、読取部１００と対向ガイド９５との距離を上述したように設定することは有効である。
【００４９】
なお、読取部１００は第１の位置から１８０度回転して共通搬送路９４から退避した第２の位置へ移動したが、カバー１００ａが共通搬送路９４から退避した位置にさえ移動できれば、回転角度は１８０度でなくてもよい。本実施例の場合であれば、読取部１００が第１の位置から約９０度以上回転すれば、カバー１００ａが共通搬送路９４から見て露出しない位置へ移動する。このため、少なくとも読取部１００が第１の位置から約９０度以上回転した退避位置へ移動すればよい。
【００５０】
また、読取部１００がこのような退避位置にある時、読取部１００の共通搬送路９４の対向ガイド９５と対向する面は読取部１００の側面となる場合がある。この場合、対向ガイド９５と読取部１００の側面との距離を距離Ｔ１´として、上述した  距離Ｔ１よりも距離Ｔ１´の方が大きいという関係を満たしていれば、上述した昇温による課題やジャムに関する課題を解決することができる。
【００５１】
また、本実施例では、読取部１００と対向ガイド９６との距離も同様に設定されている。つまり、読取部１００が第１の位置にある時の原稿排紙搬送路８１の対向ガイド９６と背面１０１との距離Ｔ２´は、読取部１００が第２の位置にある時の原稿排紙搬送路８１の対向ガイド９６とカバー１００ａの表面との距離Ｔ２よりも大きい。
【００５２】
つまり、
Ｔ２＜Ｔ２´
という関係になっている。なお、距離Ｔ２は距離Ｔ１と同じ値であり、距離Ｔ２´は距離Ｔ１´と同じ値である。
【００５３】
そして、このように、読取部１００と対向ガイド９６との距離を設定しつつ、第２の位置の読取部１００で読み取りを行わない際に、読取部１００を第１の位置に配置するよう制御する。これにより、第２面のみ読み取りを行う原稿Ｇが原稿排紙搬送路８１を通過する際に、読取部１００に原稿Ｇが当接することにより、引っ掛かってジャムが発生することを抑えることができる。
【００５４】
以上説明したように、本実施例によれば、記録材の熱によって読取部が昇温し、読取部の読取精度が低下したり破損したりしてしまうこと抑制することができる。
【符号の説明】
【００５５】
１５  転写ローラ
５０  定着手段
９４  共通搬送路
９５  共通搬送路の対向ガイド
９６  原稿排紙搬送路の対向ガイド
１００  読取部
１００ａ  カバー
１０１  原稿読取部の背面
Ｓ  記録材
Ｇ  原稿
【図１】
2014219433.tif 000003
【図２】
2014219433.tif 000004
【図３】
2014219433.tif 000005
【図４】
2014219433.tif 000006
【図５】
2014219433.tif 000007
【図６】
2014219433.tif 000008
【図７】
2014219433.tif 000009
【図８】
2014219433.tif 000010
【図９】
2014219433.tif 000011
【図１０】
2014219433.tif 000012
【図１１】
2014219433.tif 000013
【図１２】
2014219433.tif 000014